(57)【要約】【課題】一の画面を分担表示している並置された表示装置の相対位置が変化した場合に、表示内容の位置ずれを、より適切な一方の表示装置を選択して位置補正することのできる表示制御装置等を提供する。【解決手段】一の画面を、第１表示装置３０とこれに並置された第２表示装置４０とにそれらの表示内容が連続するように分担させて表示している状態で、第１表示装置３０と第２表示装置４０との相対位置が変化した場合、オブジェクトの表示割合（境界に跨る設定Ｅ、Ｎの選択釦における表示割合、または全オブジェクトにおける表示割合）が少ない方の表示装置の表示内容のみを移動させて、他方の表示装置の表示内容と連続するように位置補正される。【選択図】図４
2014021241.tif 000002
【特許請求の範囲】
【請求項１】
第１表示装置とこれに並置される第２表示装置との相対位置を示す相対位置情報を取得する相対位置情報取得部と、
前記相対位置情報に基づいて、一の画面に係る表示を、前記第１表示装置とこれに並置された前記第２表示装置とにそれらの表示内容が連続するように分担させて行わせる分担表示制御部とを有し、
前記分担表示制御部は、表示中に前記第１表示装置と前記第２表示装置との相対位置が変化した場合に、前記第１表示装置と前記第２表示装置のうちオブジェクトの表示割合が少ない表示装置の表示内容のみを、他方の表示装置の表示内容と連続するように位置補正する
ことを特徴とする表示制御装置。
【請求項２】
前記表示割合は、前記第１表示装置と前記第２表示装置とに跨って表示されているオブジェクトにおける表示割合である
ことを特徴とする請求項１に記載の表示制御装置。
【請求項３】
前記表示割合は、前記第１表示装置と前記第２表示装置に表示されているオブジェクトの数または面積の割合である
ことを特徴とする請求項１に記載の表示制御装置。
【請求項４】
請求項１乃至３のいずれか１項に記載の表示制御装置と、
前記第１表示装置と前記第２表示装置のうちの少なくとも一方と、
を有する
ことを特徴とする表示システム。
【請求項５】
情報処理装置を、
第１表示装置とこれに並置される第２表示装置との相対位置を示す相対位置情報に基づいて、一の画面に係る表示を、前記第１表示装置とこれに並置された前記第２表示装置とにそれらの表示内容が連続するように分担させて行わせると共に、
表示中に前記第１表示装置と前記第２表示装置との相対位置が変化した場合に、前記第１表示装置と前記第２表示装置のうちオブジェクトの表示割合が少ない表示装置の表示内容のみを、他方の表示装置の表示内容と連続するように位置補正するように機能させる
ことを特徴とする表示制御プログラム。
【請求項６】
前記表示割合は、前記第１表示装置と前記第２表示装置とに跨って表示されているオブジェクトにおける表示割合である
ことを特徴とする請求項５に記載の表示制御プログラム。
【請求項７】
前記表示割合は、前記第１表示装置と前記第２表示装置に表示されているオブジェクトの数または面積の割合である
ことを特徴とする請求項５に記載の表示制御プログラム。
【発明の詳細な説明】
【技術分野】
【０００１】
本発明は、一の画面を２台の表示装置に分担して表示させる表示制御装置、表示システムおよび表示制御プログラムに関する。
【背景技術】
【０００２】
複数台の表示装置を並置し、一の画面をこれらに分担させて大きく表示する技術が種々提案されている（特許文献１、２、３参照）。
【０００３】
たとえば、画像表示部を備えた携帯端末を複数台並べて用い、複数の画像表示部を組み合わせて１つの大きな画面に見立てて拡大画像表示を行う表示システムがある（特許文献４参照）。
【０００４】
また、携帯端末でコンテンツを拡大等し、その一部（表示エリアに表示可能な範囲）のみを表示する場合に、卓上での携帯端末の移動を検出し、その移動方向および移動距離に合わせて、コンテンツ内の表示部分を移動させる技術がある（特許文献５参照。）。
【先行技術文献】
【特許文献】
【０００５】
【特許文献１】特開２００２−００６８２２号公報
【特許文献２】特開２００５−３３９１４４号公報
【特許文献３】特開２００７−１６４０６０号公報
【特許文献４】特開２０１１−１１４３５２号公報
【特許文献５】特開２０１０−２０４９９０号公報
【発明の概要】
【発明が解決しようとする課題】
【０００６】
複合機などの操作パネルの表示部に携帯端末を手持ちで並置し、一の操作画面を該操作パネルの表示部と携帯端末とに分担して表示させるといった利用形態においては、手振れにより携帯端末の位置が安定しないので、操作パネルの表示部と携帯端末とを常に位置合わせした状態に維持することは難しい。
【０００７】
たとえば、図１７に示すように、原稿の送信宛先のリスト２００を操作パネル２１０の表示部と携帯端末２２０とに分担表示させる場合に、両者が位置合わせした状態にあれば、１つの宛先に係る情報が、両者に跨る横一行に表示される。しかし、手持ちの携帯端末２２０が、図１８に示すように、位置ずれした場合（この例ではリストの１行分、下方に位置ずれしている）、実際のリスト上では異なる行が、横一行に連なって見えてしまい、誤った宛先を選択する要因になってしまう。同図の例では、操作パネルに表示されている「００２」番の宛先の行と、携帯端末上の「００１」番の宛先の行とが、横一行に繋がって見えている。
【０００８】
このような場合に、特許文献４の技術を応用して、手持ちの携帯端末の移動に合わせて携帯端末側の表示内容を変位させれば、自ずと位置ずれの問題は解消される。しかし、ユーザの着目している表示内容の大部分が携帯端末側に表示されているような場合には、携帯端末が移動したからといって、携帯端末側の表示内容を変位させると、見辛くなってしまう。
【０００９】
本発明は、上記の問題を解決しようとするものであり、一の画面を分担表示している並置された表示装置の相対位置が変化した場合に、表示内容の位置ずれを、より適切な一方の表示装置を選択して位置補正することのできる表示制御装置、表示システムおよび表示制御プログラムを提供することを目的としている。
【課題を解決するための手段】
【００１０】
かかる目的を達成するための本発明の要旨とするところは、次の各項の発明に存する。
【００１１】
［１］第１表示装置とこれに並置される第２表示装置との相対位置を示す相対位置情報を取得する相対位置情報取得部と、
前記相対位置情報に基づいて、一の画面に係る表示を、前記第１表示装置とこれに並置された前記第２表示装置とにそれらの表示内容が連続するように分担させて行わせる分担表示制御部とを有し、
前記分担表示制御部は、表示中に前記第１表示装置と前記第２表示装置との相対位置が変化した場合に、前記第１表示装置と前記第２表示装置のうちオブジェクトの表示割合が少ない表示装置の表示内容のみを、他方の表示装置の表示内容と連続するように位置補正する
ことを特徴とする表示制御装置。
【００１２】
上記［１］および下記［５］に係る発明では、一の画面を、第１表示装置とこれに並置された第２表示装置とにそれらの表示内容が連続するように分担させて表示する状態で、第１表示装置と第２表示装置との相対位置が変化した場合、オブジェクトの表示割合が少ない方の表示装置の表示内容のみを移動させて、他方の表示装置の表示内容と連続するように位置補正される。
【００１３】
［２］前記表示割合は、前記第１表示装置と前記第２表示装置とに跨って表示されているオブジェクトにおける表示割合である
ことを特徴とする［１］に記載の表示制御装置。
【００１４】
上記［２］および下記［６］に係る発明では、第１表示装置と第２表示装置とにオブジェクトが跨って表示されている場合、その跨っているオブジェクトのうち、第１表示装置に表示されている部分と第２表示装置に表示されている部分との表示割合を求め、表示割合の少ない方の表示装置の表示内容を移動させて位置補正される。
【００１５】
［３］前記表示割合は、前記第１表示装置と前記第２表示装置に表示されているオブジェクトの数または面積の割合である
ことを特徴とする［１］に記載の表示制御装置。
【００１６】
上記［３］および下記［７］に係る発明では、第１表示装置に表示されているすべてのオブジェクトの数または合計面積と第２表示装置に表示されているすべてのオブジェクトの数または合計面積とを比較し、表示割合（数または合計面積）の少ない方の表示装置の表示内容を移動させて位置補正される。
【００１７】
［４］［１］乃至［３］のいずれか１項に記載の表示制御装置と、
前記第１表示装置と前記第２表示装置のうちの少なくとも一方と、
を有する
ことを特徴とする表示システム。
【００１８】
［５］情報処理装置を、
第１表示装置とこれに並置される第２表示装置との相対位置を示す相対位置情報に基づいて、一の画面に係る表示を、前記第１表示装置とこれに並置された前記第２表示装置とにそれらの表示内容が連続するように分担させて行わせると共に、
表示中に前記第１表示装置と前記第２表示装置との相対位置が変化した場合に、前記第１表示装置と前記第２表示装置のうちオブジェクトの表示割合が少ない表示装置の表示内容のみを、他方の表示装置の表示内容と連続するように位置補正するように機能させる
ことを特徴とする表示制御プログラム。
【００１９】
［６］前記表示割合は、前記第１表示装置と前記第２表示装置とに跨って表示されているオブジェクトにおける表示割合である
ことを特徴とする［５］に記載の表示制御プログラム。
【００２０】
［７］前記表示割合は、前記第１表示装置と前記第２表示装置に表示されているオブジェクトの数または面積の割合である
ことを特徴とする［５］に記載の表示制御プログラム。
【発明の効果】
【００２１】
本発明に係る表示制御装置、表示システムおよび表示制御プログラムによれば、一の画面を分担表示している並置された表示装置の相対位置が変化した場合に、表示内容の位置ずれを、より適切な一方の表示装置を選択して位置補正することができる。
【図面の簡単な説明】
【００２２】
【図１】本発明の実施の形態に係る表示制御装置の機能を備えた複合機と携帯端末とを並置した様子を示す図である。
【図２】複合機の概略構成を示すブロック図である。
【図３】携帯端末の概略構成を示すブロック図である。
【図４】操作パネルと携帯端末との境界にオブジェクトが跨って存在する連携表示の表示例であって、携帯端末の表示割合が少ない場合を示す図である。
【図５】図４の状態から携帯端末が下方に位置ズレした場合であって表示内容を位置補正する前の状態を示す図である。
【図６】図５のように位置ズレした場合に、携帯端末側の表示画像を上方に移動させて位置補正した状態を示す図である。
【図７】操作パネルと携帯端末との境界にオブジェクトが跨って存在する連携表示の表示例であって、操作パネルの表示割合が少ない場合を示す図である。
【図８】図７の状態から携帯端末が下方に位置ズレした場合であって表示内容を位置補正する前の状態を示す図である。
【図９】図８のように位置ズレした場合に、操作パネル側の表示画像を下方に移動させて位置補正した状態を示す図である。
【図１０】操作パネルと携帯端末との境界にオブジェクトが跨って存在しない場合の連携表示の表示例であって、携帯端末の表示割合が少ない場合を示す図である。
【図１１】図１０の状態から携帯端末が下方に位置ズレした場合であって表示内容を位置補正する前の状態を示す図である。
【図１２】図１１のように位置ズレした場合に、携帯端末側の表示画像を上方に移動させて位置補正した状態を示す図である。
【図１３】操作パネルと携帯端末との境界にオブジェクトが跨って存在しない場合の連携表示の表示例であって、操作パネルの表示割合が少ない場合を示す図である。
【図１４】図１３の状態から携帯端末が下方に位置ズレした場合であって表示内容を位置補正する前の状態を示す図である。
【図１５】図１４のように位置ズレした場合に、操作パネル側の表示画像を下方に移動させて位置補正した状態を示す図である。
【図１６】連携表示中の位置補正に係る処理を示す流れ図である。
【図１７】原稿の送信宛先のリストを操作パネルの表示部と携帯端末とに表示内容が連続するようにして分担表示させた状態を示す図である。
【図１８】図１７の状態から携帯端末が下方に位置ズレした場合の表示状態を示す図である。
【発明を実施するための形態】
【００２３】
以下、図面に基づき本発明の実施の形態を説明する。
【００２４】
図１は、本発明の実施の形態に係る表示制御装置の機能を備えた複合機１０と、この複合機１０の操作パネル３０と連携される携帯端末４０の一例を示している。複合機１０は、原稿を光学的に読み取ってその複製画像を記録紙に印刷するコピージョブ、読み取った原稿の画像データをファイルにして保存したり外部端末へネットワークを通じて送信したりするスキャンジョブ、端末装置からネットワークを通じて受信した印刷データに係る画像を記録紙上に形成して印刷出力するプリントジョブなどの複数種類のジョブを実行する機能を備えた画像処理装置である。
【００２５】
携帯端末４０は、文書や画像データの入力、作成、表示、編集、外部機器への出力などの機能を備えた携帯型の情報処理端末である。携帯端末４０は、たとえば、Ｂ５サイズほどの平板形状を成しており、本体表面のほぼ全域が表示面になっている。
【００２６】
複合機１０は、ジョブの投入操作や各種の設定操作などをユーザから受け付ける操作パネル３０を備えている。また、一の画面（操作画面や設定画面など）を、操作パネル３０とその近傍に並置された携帯端末４０とに、それぞれの表示内容が連続するように分担して表示させる連携表示機能を備えている。たとえば、宛先リストのうち、操作パネルの表示部に表示しきれない部分が並置された携帯端末４０に表示される。
【００２７】
図２は、複合機１０の概略構成を示すブロック図である。複合機１０は、当該複合機１０の動作を統括的に制御するＣＰＵ(Central Processing Unit)１１を有している。ＣＰＵ１１にはバスを通じてＲＯＭ(Read Only Memory)１２と、ワークメモリ（ＲＡＭ(Random Access Memory)）１３と、画像読取部１４と、プリンタ部１５と、画像処理部１６と、不揮発メモリ１７と、自動原稿搬送部１８と、ファクシミリ通信部１９と、ネットワーク通信部２１と、近接無線通信部２２と、認証部２３と、操作パネル３０とを備えている。
【００２８】
ＣＰＵ１１は、ＯＳ（Operating System）プログラムをベースとし、その上で、ミドルウェアやアプリケーションプログラムなどを実行する。また、ＣＰＵ１１は、操作パネル３０への単独表示および並置された携帯端末４０と連携して表示を行う連携表示機能に関する制御を行う制御部としての機能を果たす。
【００２９】
ＲＯＭ１２には、各種のプログラムが格納されており、これらのプログラムに従ってＣＰＵ１１が各種処理を実行することで複合機１０の各機能が実現される。
【００３０】
ＲＡＭ１３は、ＣＰＵ１１がプログラムに基づいて処理を実行する際に各種のデータを一時的に格納するワークメモリや画像データを格納する画像メモリなどとして使用される。
【００３１】
画像読取部１４は、原稿を光学的に読み取って画像データを取得する機能を果たす。画像読取部１４は、例えば、原稿に光を照射する光源と、その反射光を受けて原稿を幅方向に１ライン分読み取るラインイメージセンサと、ライン単位の読取位置を原稿の長さ方向に順次移動させる移動ユニットと、原稿からの反射光をラインイメージセンサに導いて結像させるレンズやミラーなどからなる光学経路と、ラインイメージセンサの出力するアナログ画像信号をデジタルの画像データに変換する変換部などを備えて構成される。
【００３２】
プリンタ部１５は、画像データに応じた画像を記録紙上に画像形成する機能を果たす。ここでは、記録紙の搬送装置と、感光体ドラムと、帯電装置と、レーザーユニットと、現像装置と、転写分離装置と、クリーニング装置と、定着装置とを有し、電子写真プロセスによって画像形成を行う、所謂、レーザープリンタとして構成されている。画像形成は他の方式でもかまわない。
【００３３】
画像処理部１６は、画像の拡大縮小、回転などの処理のほか、印刷データをイメージデータに変換するラスタライズ処理、画像データの圧縮、伸張処理などを行う。
【００３４】
不揮発メモリ１７は、電源をオフにしても記憶内容が破壊されないメモリ（フラッシュメモリ）であり、各種設定情報の保存などに使用される。
【００３５】
自動原稿搬送部１８は、原稿台にセットされた原稿をその最上のものから１枚ずつ順に繰り出して搬送し、画像読取部１４の読み取り位置を通過させて所定の排紙位置へ排紙する機能を果たす。
【００３６】
ファクシミリ通信部１９は、ファクシミリ機能を備えた外部装置と公衆回線を通じて画像データを送受信する機能を果たす。
【００３７】
ネットワーク通信部２１は、ＬＡＮ(Local Area Network)などのネットワークを通じて端末装置やその他の外部装置との間でデータを通信する機能を果たす。
【００３８】
近接無線通信部２２は、操作パネル３０の近傍に配置された携帯端末４０と無線通信する機能を果たす。近接無線通信部２２の通信可能距離は５０ｃｍ程度で十分である。通信方式には各種の近距離無線通信方式を採用することができる。近接無線通信部２２は、操作パネル３０の近傍に設けられる。
【００３９】
認証部２３は、当該複合機１０を使用するユーザを認証する。ＩＤカード、指紋、ユーザＩＤとパスワードの照合などにより認証される。
【００４０】
操作パネル３０は、表示部３１と、操作部３２と、相対位置情報取得部３３を備えている。表示部３１は、液晶ディスプレイ（ＬＣＤ…Liquid Crystal Display）などで構成され、各種の操作画面、設定画面などを表示する機能を果たす。操作部３２は、スタートボタンなどの各種操作スイッチと、表示部３１の表示面上に設けられたスクリーン状のタッチパネルとを備えている。タッチパネルは、タッチペンや指などで押下された座標位置や、フリック操作やドラッグ操作、スクロールバーに対する操作を検出する。
【００４１】
相対位置情報取得部３３は、操作パネル３０とこれに並置された携帯端末４０との相対位置を示す情報を取得する。ここでは、操作パネル３０に設けられたセンサが、このセンサに対する携帯端末４０の相対位置を検出する。たとえば、携帯端末４０の周縁にスケールを印刷しておき、センサがこのスケールを読み取ることで、携帯端末４０の相対位置を検出する。より詳細には、並置された際に操作パネル３０に当接される携帯端末４０の一辺に、その一辺における表示部４７の表示領域の一端からの距離を示すスケール（目盛り）を設け、この目盛りを操作パネル３０側のセンサで光学的に読み取ることで、携帯端末４０の表示領域の相対位置が検出される。携帯端末４０に上記センサを設け、操作パネル３０側のスケールを読み取るようにしてもよい。
【００４２】
なお、相対位置の検出方法は任意でよい。操作パネル３０と携帯端末４０の双方にセンサを設けて、これらが共同して相対位置を検出するといった方法でもよい。
【００４３】
図３は、携帯端末４０の概略構成を示すブロック図である。当該携帯端末４０の動作を統括制御するＣＰＵ４１を有している。ＣＰＵ４１にはバスを通じてＲＯＭ４２と、ＲＡＭ４３と、不揮発メモリ４４と、認証部４５と、操作部４６と、表示部４７と、ネットワーク通信部４８と、近接無線通信部４９が接続されている。
【００４４】
ＲＯＭ４２および不揮発メモリ４４には、各種プログラムやデータが格納され、これらのプログラムに従ってＣＰＵ４１が各種の処理を実行することで携帯端末４０の各機能が実現される。ＲＡＭ４３はＣＰＵ４１がプログラムを実行する際に各種のデータを一時的に格納するワークメモリや表示データを一時記憶するメモリとして使用される。
【００４５】
不揮発メモリ４４は、電源がオフになっても記憶内容が保持されるメモリである。不揮発メモリ４４には、文書や画像ファイル、各種の設定内容、ユーザ情報、端末情報（ネットワークアドレスなど）、アプリケーションプログラムなどが記憶される。
【００４６】
認証部４５は、当該携帯端末４０を使用するユーザを認証する。
【００４７】
表示部４７は、液晶ディスプレイなどで構成される。操作部４６は、表示部４７の表示面上の全面に設けられ、指やペンなどによってタッチされた位置を検出するタッチパネル４６ａで構成される。少数の操作スイッチを備えてもよい。タッチパネル４６ａの検知方式は、静電容量、アナログ/デジタル抵抗膜、赤外線、超音波、電磁誘導等、任意でよい。
【００４８】
ネットワーク通信部４８は、無線通信によりネットワークと接続して各種の外部装置と通信する機能を果たす。近接無線通信部４９は、近傍の複合機１０が備える近接無線通信部２２などと無線通信する機能を果たす。通信可能距離、通信方式等は複合機１０の近接無線通信部２２と同一である。
【００４９】
図４は、設定項目を選択する設定選択画面６０を、連携表示機能を使用して、操作パネル３０の表示部３１と携帯端末４０の表示部４７とに、それらの表示内容が連続するように分担して表示させた状態（連携表示とする）を示している。
【００５０】
携帯端末４０は操作パネル３０の横に手持ちにより並置されている。設定選択画面６０には、各種設定の選択釦が縦横のマトリクス状に配列されており、同図に示すように、操作パネル３０の右隣に携帯端末４０を並置して連携表示した状態では、設定選択画面６０の左側の一部分が操作パネル３０に表示され、その続きの右側部分が、操作パネル３０の表示内容と連続するように位置合わせして、携帯端末４０の表示部４７に表示される。同図の例では、第１行の中ほどにある設定Ｅの選択釦と、第２行の中ほどにある設定Ｎの選択釦が、操作パネル３０と携帯端末４０との境界部分にあって両者に跨るように表示されている。
【００５１】
なお、一の画面のうち、連携表示機能により操作パネル３０に表示される部分を第１表示画像６１、携帯端末４０に表示される部分を第２表示画像６２と呼ぶものとする。
【００５２】
ユーザに手持ちされている携帯端末４０が、図４に示す位置から下方へ位置ズレした場合、携帯端末４０内での第２表示画像６２の表示位置がそのままならば、図５に示すように（図中の破線は、位置ズレ前の位置を示している。）、第１表示画像６１より第２表示画像６２の表示が下に位置ズレして連続性が崩れる。
【００５３】
そこで、上記のように相対位置が変化したとき、第１表示画像６１と第２表示画像６２のいずれか一方を移動させ、第１表示画像６１と第２表示画像６２の表示内容の連続性が確保されるように位置補正する。図６は、携帯端末４０の表示領域内で第２表示画像６２を上方に移動させて位置補正した状態を示している。
【００５４】
位置補正において、第１表示画像６１と第２表示画像６２のいずれを移動させるかの判断基準として、以下の２種類がある。
【００５５】
（１）第１判断基準
操作パネル３０と携帯端末４０との境界位置に跨って表示されているオブジェクトが存在する場合に、その跨っているオブジェクトの表示割合の小さい方を移動させる。
【００５６】
図４の例では、設定Ｅの選択釦と設定Ｎの選択釦が、境界位置に跨っているオブジェクトであり、携帯端末４０側の表示割合が小さいので、図６に示すように、携帯端末４０側の第２表示画像６２を移動させて位置補正している。なお、オブジェクトは、上記のような操作釦に限らず、任意の表示対象物である。表計算シートやそのセル、グラフ、図形、写真、文字列などがある。表示割合の対象とするオブジェクトを、操作の対象となるものに限定してもよい。
【００５７】
図７、図８、図９の例では、設定Ｅの選択釦と設定Ｎの選択釦が、境界位置に跨っているオブジェクトであり、操作パネル３０側の表示割合が小さいので、操作パネル３０側の第１表示画像６１を移動させて位置補正している。
【００５８】
図７に示す状態を初期位置とする。この状態から、ユーザに手持ちされている携帯端末４０が下方へ位置ズレした場合、携帯端末４０内での第２表示画像６２の表示位置がそのままならば、図８に示すように、第１表示画像６１より第２表示画像６２の表示が下に位置ズレして連続性が崩れる。
【００５９】
ここでは、境界に跨って表示されている設定Ｅ、Ｎの選択釦の表示割合は操作パネル３０の方が小さいので、図９に示すように、操作パネル３０の表示領域内で第１表示画像６１を下方に移動させて、表示内容の連続性が確保されるように位置補正される。
【００６０】
（２）第２判断基準
操作パネル３０に表示されているオブジェクトの数または合計面積と、携帯端末４０に表示されているオブジェクトの数または合計面積とを比較し、オブジェクトの表示割合の小さい方（数または合計面積の小さい方）を移動させる。
【００６１】
図１０、図１１、図１２の例では、操作パネル３０に表示されているオブジェクトである選択釦の数は１１個であり、携帯端末４０に表示されている選択釦の数は４個であり、操作パネル３０よい携帯端末４０の方がオブジェクトの表示割合が小さい。このケースでは、これらの相対位置が変化した場合、携帯端末４０側の第２表示画像６２を移動させて位置補正される。
【００６２】
詳細には、図１０に示す初期位置から、ユーザに手持ちされている携帯端末４０が下方へ位置ズレした場合、携帯端末４０内での第２表示画像６２の表示位置がそのままならば、図１１に示すように、第１表示画像６１より第２表示画像６２の表示が下に位置ズレして連続性が崩れる。しかし、図１２に示すように、表示割合の少ない携帯端末４０の表示領域内の第２表示画像６２が上方に移動して、表示内容の連続性が確保されるように位置補正される。
【００６３】
図１３、図１４、図１５の例では、操作パネル３０に表示されているオブジェクトである選択釦の数は５個であり、携帯端末４０に表示されている選択釦の数は１０個であり、携帯端末４０より操作パネル３０の方がオブジェクトの表示割合が小さい。そのため、これらの相対位置が変化した場合、操作パネル３０側の第１表示画像６１を移動させて位置補正される。
【００６４】
詳細には、図１３に示す初期位置から、ユーザに手持ちされている携帯端末４０が下方へ位置ズレした場合、携帯端末４０内での第２表示画像６２の表示位置がそのままならば、図１４に示すように、第１表示画像６１より第２表示画像６２の表示が下に位置ズレして連続性が崩れる。しかし、図１５に示すように、操作パネル３０の表示領域内で第１表示画像６１が下に移動して、表示内容の連続性が確保されるように位置補正される。
【００６５】
図１６は、連携表示中の位置補正に係る処理の流れを示している。この処理は、複合機１０のＣＰＵ１１が携帯端末４０と連携して行う。
【００６６】
複合機１０のＣＰＵ１１は、設定選択画面６０など表示対象の画面を初期状態として、操作パネル３０に単独表示する（ステップＳ１０１）。この状態で、携帯端末４０と近接通信可能か否かを判断する（ステップＳ１０２）。作動中の携帯端末４０が操作パネル３０に並置されると、近接通信可能な状態になるものとする。
【００６７】
近接通信可能でなければ（ステップＳ１０２；Ｎｏ）、操作パネル３０での単独表示を継続する。
【００６８】
近接通信可能な場合は（ステップＳ１０２；Ｙｅｓ）、携帯端末４０の表示能力を取得する（ステップＳ１０３）。ここでは、操作パネル３０から携帯端末４０に表示能力要求を送信し、これを受信した携帯端末４０が自端末の表示能力を示す情報を操作パネル３０に返信する。表示能力には、画面サイズ、解像度などがある。
【００６９】
次に、複合機１０のＣＰＵ１１は、操作パネル３０と携帯端末４０との相対位置を示す情報を相対位置情報取得部３３により取得する（ステップＳ１０４）。前述したように、相対位置情報取得部３３は、携帯端末４０の側部に付されているスケールを読み取ることで操作パネル３０に対する携帯端末４０の相対位置を認識する。
【００７０】
次に複合機１０のＣＰＵ１１は、操作パネル３０と携帯端末４０とによる連携表示を開始させる（ステップＳ１０５）。具体的には、表示中の画面を携帯端末４０の存在する方向に拡張した場合に携帯端末４０に表示される第２表示画像６２の表示データを作成し、これを携帯端末４０に送信して携帯端末４０の表示部４７に表示させる。これにより図４、図７、図１０、図１３に例示したように、一の画面が、操作パネル３０と携帯端末４０とに、それらの表示内容が連続するように分担して表示される。
【００７１】
その後、複合機１０のＣＰＵ１１は、周期的に位置補正を行う。詳細には以下のように動作する。まず、位置補正の１周期に相当する時間を計測するブレ検知周期タイマを起動する（ステップＳ１０６）。
【００７２】
ブレ検知周期タイマがタイムアップすると（ステップＳ１０７；Ｙｅｓ）、操作パネル３０と携帯端末４０との現時点での相対位置を示す情報を取得する（ステップＳ１０８）。さらに現時点での操作パネル３０と携帯端末４０におけるオブジェクトの表示割合を求める（ステップＳ１０９）。この表示割合は、前述した第１判断基準と第２判断基準のいずれかに基づく。たとえば、第１判断基準と第２判断基準のいずれを採用するかが予め設定される。このほか、第１判断基準を採用可能な場合、すなわち、境界に跨っているオブジェクトが存在する場合は第１判断基準を採用し、跨っているオブジェクトが無い場合は第２判断基準を採用するようにしてもよい。なお、第２判断基準においてオブジェクトの数と面積のいずれで表示割合を判断するか（あるいは両者を総合して判断するか）についても予め選択されているものとする。
【００７３】
携帯端末４０の表示割合の方が小さい場合は（ステップＳ１１０；Ｙｅｓ）、携帯端末４０の表示内容（第２表示画像６２）を移動させて、表示内容が連続するように位置補正する（ステップＳ１１１）。そして、ステップＳ１０６に戻り、処理を継続する。
【００７４】
携帯端末４０の表示割合の方が小さくない場合は（ステップＳ１１０；Ｎｏ）、操作パネル３０の表示内容（第１表示画像６１）を移動させて、表示内容が連続するように位置補正して（ステップＳ１１２）、ステップＳ１０６に戻り、処理を継続する。
【００７５】
ブレ検知周期タイマがタイムアップする前に（ステップＳ１０７；Ｎｏ）、操作パネル３０と携帯端末４０のいずれかでユーザから何らかの操作を受けた場合は（ステップＳ１１３；Ｙｅｓ）、その操作内容に応じて操作パネル３０および携帯端末４０の表示内容を更新する（ステップＳ１１４）。表示内容を更新のタイプとしては、別の画面に遷移する場合、画面遷移せずに当該画面の表示内容を変化させる場合（たとえば、スクロールさせる、選択操作を受けた釦の表示色を変化させるなど）がある。いずれも、前回取得した相対位置、もしくは現時点で再取得した相対位置に基づいて、表示内容が連続するように連携表示が行われる。
【００７６】
以上説明したように、本実施の形態では、並置された操作パネル３０と携帯端末４０とを使用して連携表示している間に、これらの相対位置が変化したとき、オブジェクトの表示割合の小さい方の表示を移動させて位置補正する。通常、ユーザは、オブジェクトの表示割合の大きい方の表示に着目して操作を行うと考えられるので、相対位置が位置ズレした場合に、表示割合の小さい方を移動させて位置補正することで、ユーザの着目している方の表示の位置が変化せず、ユーザにとって見やすく位置補正される。
【００７７】
以上、本発明の実施の形態を図面によって説明してきたが、具体的な構成は実施の形態に示したものに限られるものではなく、本発明の要旨を逸脱しない範囲における変更や追加があっても本発明に含まれる。
【００７８】
実施の形態では、操作パネル３０は複合機１０に組み込まれる形態であったが、複合機１０などの装置本体から取り外し可能な形態、もしくは複合機１０とは別体の操作パネルとして構成されてもよい。この場合、操作パネル３０内部にＣＰＵなどの制御部を設けて連携表示や位置補正に関する制御が行われる。
【００７９】
実施の形態では、複合機１０の操作パネル３０と携帯端末４０とを連携させる例を示したが、複数台の携帯端末４０同士を連携させる構成でもよい。この場合、いずれか１台の携帯端末４０がマスタ機となって連携表示や位置補正を制御するようにすればよい。
【００８０】
また、外部のサーバなどを連携表示や位置補正に関する制御を行う表示制御装置とし、該サーバが複合機１０の操作パネル３０や携帯端末４０などの並置された複数台の表示装置に対して表示データを送信し、連携表示および位置補正を行うといった構成でもよい。本発明は、表示制御装置と少なくとも１台の表示装置とを含む表示システムとして構成されてもよい。
【００８１】
実施の形態では、周期的に位置補正したが、連携表示開始後は、常に位置補正する構成であってもよい。あるいは、相対位置を監視し、相対位置が、たとえば、所定の閾値以上変化した場合に位置補正するように構成されてもよい。
【００８２】
実施の形態では、設定選択画面６０を連携表示する場合を例示したが、連携表示される画面の内容は任意でよい。たとえば、表計算シートを連携表示する場合、第１判断基準では、跨って表示されたセルにおける表示割合となり、第２判断基準では一方の表示装置に表示されているセルの合計面積や数と、他方の表示装置に表示されているセルの合計面積や数とを比較した場合の表示割合となる。
【符号の説明】
【００８３】
１０…複合機
１１…ＣＰＵ
１２…ＲＯＭ
１３…ワークメモリ（ＲＡＭ）
１４…画像読取部
１５…プリンタ部
１６…画像処理部
１７…不揮発メモリ
１８…自動原稿搬送部
１９…ファクシミリ通信部
２１…ネットワーク通信部
２２…近接無線通信部
２３…認証部
３０…操作パネル
３１…表示部
３２…操作部
３３…相対位置情報取得部
４０…携帯端末
４１…ＣＰＵ
４２…ＲＯＭ
４３…ＲＡＭ
４４…不揮発メモリ
４５…認証部
４６…操作部
４６ａ…タッチパネル
４７…表示部
４８…ネットワーク通信部
４９…近接無線通信部
６０…設定選択画面
６１…第１表示画像
６２…第２表示画像
【図１】
2014021241.tif 000003
【図２】
2014021241.tif 000004
【図３】
2014021241.tif 000005
【図４】
2014021241.tif 000006
【図５】
2014021241.tif 000007
【図６】
2014021241.tif 000008
【図７】
2014021241.tif 000009
【図８】
2014021241.tif 000010
【図９】
2014021241.tif 000011
【図１０】
2014021241.tif 000012
【図１１】
2014021241.tif 000013
【図１２】
2014021241.tif 000014
【図１３】
2014021241.tif 000015
【図１４】
2014021241.tif 000016
【図１５】
2014021241.tif 000017
【図１６】
2014021241.tif 000018
【図１７】
2014021241.tif 000019
【図１８】
2014021241.tif 000020